(57)【特許請求の範囲】
【請求項１】
燃料を供給する燃料供給手段と、前記燃料と燃焼用空気とを混合して供給する燃焼用送風機とを設け、前記供給された混合気を全一次燃焼させる燃焼手段と、前記燃焼手段によって燃焼した燃焼ガス中の水蒸気の凝縮潜熱までを受熱対象流体によって回収する熱交換手段と、前記熱交換手段の下流部の排ガスを外部に導く排ガス流路とを備えた燃焼装置であって、
前記排ガス流路に、前記排ガスを希釈する希釈空気を排ガス流路内に導入する希釈空気口を備え、
前記排ガス流路の出口部に、前記排ガスと前記希釈空気を誘引する送風量設定可能な誘引送風機を備え、
前記熱交換手段の下流部に排出される排ガスの排出量を検出する排出量検出手段を備え、
前記検出された排ガスの排出量に基づいて、前記誘引送風機の送風量を設定し、前記誘引送風機に誘引される排ガスの量を設定する誘引量設定手段を備えた燃焼装置。
【請求項２】
前記排出量検出手段は、前記熱交換手段の下流部の圧力若しくは流量を検知して、前記下流部に排出される排ガスの排出量を検知する手段である請求項１に記載の燃焼装置。
【請求項３】
前記燃料と前記燃焼用空気の供給量を設定する燃焼状態設定手段を備え、
前記排出量検出手段が、前記設定された燃料及び燃焼用空気の供給量に基づいて、前記下流部に排出される排ガスの量を算出する手段である請求項１に記載の燃焼装置。
【請求項４】
前記受熱対象流体が前記熱交換部によって受熱する温度を検出する温度検出手段と、前記受熱対象流体の流量を検出する流量検出手段とを備え、
前記燃焼状態設定手段が、前記検出した温度及び流量に基づいて、前記燃料の供給量を算出し、前記算出した燃料の供給量に基づいて、前記燃焼用空気の供給量を算出し、前記燃料及び前記燃焼用空気の供給量を設定する手段である請求項３に記載の燃焼装置。
【請求項５】
前記排ガス流路の入口部に前記排ガス流路に流入する排ガスの流量を調整する排ガス量調整弁を備え、
前記誘引量設定手段は、前記検出された排ガスの排出量に基づいて、前記排ガス量調整弁を調整して、前記誘引送風機に誘引される排ガスの量を設定する手段である請求項１から４の何れか１項に記載の燃焼装置。
【請求項６】
前記希釈空気の流路に、前記排ガス流路に流入する希釈空気の流量を設定する希釈空気量調整弁を備え、
前記誘引量設定手段は、前記検出された排ガスの排出量に基づいて、前記排ガス量調整弁および前記希釈空気量調整弁を調整して、前記誘引送風機に誘引される排ガス及び希釈空気の流量を設定する手段である請求項５に記載の燃焼装置。
【発明の詳細な説明】
【０００１】
【発明の属する技術分野】
燃料を供給する燃料供給手段と、燃料と燃焼用空気とを混合して供給する燃焼用送風機とを設け、供給された混合気を全一次燃焼させる燃焼手段と、燃焼手段によって燃焼した燃焼ガス中の水蒸気の凝縮潜熱までを受熱対象流体によって回収する熱交換手段と、熱交換手段の下流部の排ガスを外部に導く排ガス流路とを備えた燃焼装置いわゆるコンデンシングボイラの排ガス希釈技術に関する。
【０００２】
【従来の技術】
燃焼ガス中の水蒸気の凝縮潜熱までを回収する熱交換機能を持つ燃焼装置においては、熱交換後の排ガスは水蒸気飽和状態になっており、この排ガスをそのまま大気に放出すると、白煙になる。この白煙そのものは、水であるから有害ではないが、大量に発生すると、火災と間違えたり、有害ガスを放出しているように受け取られたりするので、この白煙を見えにくくする必要があった。
この白煙を見えにくくする方法としては、排ガスを再加熱したり、空気で希釈することが行われてきた。再加熱する場合は、再加熱を行う為の熱を必要とし、燃焼機器そのものの効率を低下させることより、空気で排ガスを希釈する方法が取られることが多く、その方法としては、燃焼用の燃焼用送風機を大き目に選定して、その余剰空気で排ガスを希釈することが考えられる。
しかし、燃焼機器において低ＮＯｘ化を実現する全一次燃焼式（予混合燃焼式）、特に燃焼用送風機を燃料と燃焼用空気の混合機として兼用させるものにおいては、燃料と燃焼用空気を予め混合するため、燃焼用送風機を大き目に選定して余剰空気を得ることができず、排ガスをその余剰空気で希釈することは不可能であった。
【０００３】
【発明が解決しようとする課題】
よって本発明は、このような事情に鑑みて、燃焼ガス中の水蒸気の凝縮潜熱までを回収する熱交換機能を持つ燃焼装置において、低ＮＯｘ化を実現し、且つ水蒸気飽和状態の排ガスを希釈して、外部に放出されたときの白煙を見えにくくすることを目的とする。
【０００４】
【課題を解決するための手段】
この目的を達成するために、本発明に係る燃焼装置は、請求項１に記載されているように、燃料を供給する燃料供給手段と、前記燃料と燃焼用空気とを混合して供給する燃焼用送風機とを設け、前記供給された混合気を全一次燃焼させる燃焼手段と、前記燃焼手段によって燃焼した燃焼ガス中の水蒸気の凝縮潜熱までを受熱対象流体によって回収する熱交換手段と、前記熱交換手段の下流部の排ガスを外部に導く排ガス流路とを備えた燃焼装置であって、
前記排ガス流路に、前記排ガスを希釈する希釈空気を排ガス流路内に導入する希釈空気口を備え、
前記排ガス流路の出口部に、前記排ガスと前記希釈空気を誘引する送風量設定可能な誘引送風機を備え、
前記熱交換手段の下流部に排出される排ガスの排出量を検出する排出量検出手段を備え、
前記検出された排ガスの排出量に基づいて、前記誘引送風機の送風量を設定し、前記誘引送風機に誘引される排ガスの量を設定する。
本発明に係る燃焼装置は、燃焼手段によって全一次燃焼した燃焼ガス中の水蒸気の凝縮潜熱までを回収する熱交換手段を備え、この熱交換手段から排出される水蒸気飽和状態の排ガスをこのまま大気に排出すると白煙となるので、この白煙を見にくくする為に、排ガスを希釈空気によって希釈することができる。
即ち、排ガス流路に、希釈空気を排ガス流路内に導入する希釈空気口と、排ガス流路の出口部に排ガスと希釈空気を誘引する誘引送風機を備えている。
この誘引送風機の送風量を熱交換手段から排出される排ガスの量以上に設定することで、誘引送風機は排ガスを外部へ誘引する他に、空気口から排ガス流路に希釈空気を誘引することができる。
このことによって、排ガス流路内で、排ガスは希釈空気で希釈された後に外部へ排出されることとなり、排ガスの水蒸気飽和状態を希釈空気によって緩和し、排出したときに発生する白煙を見えにくくすることができる。
更に、本発明に係る燃焼装置は、希釈空気を排ガス流路内に誘引していることから、燃焼用送風機から供給される燃焼用空気を排ガス希釈の為に増加させる必要もなく、燃焼手段において、空気比を設定することが重要な全一次燃焼方式を採用し、低ＮＯｘ化を実現している。
【０００５】
さらに、本発明に係る燃焼装置は、燃焼条件を変化させると、排ガスの排出量が変化し、この排ガスの排出量の変化によって、燃焼手段の下流側において圧力変動を起こし、この圧力変動によって、燃焼用送風機による混合気の供給量若しくは空気比が変動する。しかし、燃焼手段において安定した全一次燃焼を行う為には、この圧力変動を抑制し、燃焼用送風機によって供給される混合気の供給量と空気比を安定させることが重要であり、本発明に係る燃焼装置においては、この圧力変動を抑制して、その圧力変動による空気比の変動を抑制することができる。
【０００６】
即ち、この排出される排ガスの排出量を検出する排出量検出手段と、その排ガスの排出量に基づいて、前記誘引送風機に誘引される排ガスの量を設定する誘引量設定手段とを備えている。
まず、排出量検出手段によって、熱交換手段から排出される排ガスの排出量を検出する。この排出量の変化に合わせて、誘引送風機に誘引される排ガスの量を設定することで、熱交換手段の下流部において排ガスの排出量による圧力変動を抑制することができるので、燃焼条件を変化させても、燃焼手段下流部における圧力変動が無く、燃焼用送風機において混合気の供給量及び空気比が安定し、燃焼手段における全一次燃焼を安定したものとすることが可能となる。
【０００７】
さらに、本発明の燃焼装置は、誘引量設定手段によって誘引送風機に誘引される排ガスの量を調整する方法としては、誘引送風機の送風量を変化させ、誘引送風機に誘引される排ガスの量を調整することができる。これを、排出量検出手段によって検出された排ガスの排出量に基づいて行うことで、誘引送風機の送風量を変化させ、熱交換手段の下流部の圧力若しくは流量を調整することができるので、この熱交換手段の下流部の圧力若しくは流量を一定にし、燃焼手段及び燃焼用送風機に影響を与える圧力変動を抑制し、低ＮＯｘ燃焼である全一次燃焼を安定したものとすることができる。
【０００８】
このような燃焼装置は以下のように構成することができる。
即ち、請求項２に記載されているように、前記排出量検出手段は、前記熱交換手段の下流部の圧力若しくは流量を検知して、前記下流部に排出される排ガスの排出量を検知する手段である。
即ち、排ガスの排出量を検知するべく、排出量検出手段によって熱交換手段の下流部の圧力若しくは流量変動を検知し、排出量検出手段は、圧力が上昇した場合に、排ガスの量が増加したと検出し、圧力が降下した場合に、排ガスの量が減少したと検出することで、熱交換手段から排出される排ガスの排出量を検出することができる。
【０００９】
このような構成によって、排出量検出手段によって熱交換手段の下流部の圧力若しくは流量を検出し、その圧力変化に基づいて、排出量検出手段は、排ガスの排出量を検出し、その排ガスの排出量に基づいて、誘引量設定手段は、誘引送風機に誘引される排ガスの量を設定し、熱交換手段の下流部の圧力若しくは流量を調整して、一定にする。即ち、熱交換手段の下流部の圧力若しくは流量は常に一定の値となり、全一次燃焼は安定したものとなり、更に、誘引送風機によって排ガスと希釈空気を誘引することで、排ガスを希釈空気によって希釈し、白煙を見えにくくする燃焼装置を実現できる。
【００１０】
又、このような燃焼装置は以下のようにも構成することができる。即ち、請求項３に記載されているように、前記燃料と前記燃焼用空気の供給量を設定する燃焼状態設定手段を備え、
前記排出量検出手段が、前記設定された燃料及び燃焼用空気の供給量に基づいて、前記下流部に排出される排ガスの量を算出する手段である。
このように、燃料と燃焼用空気の供給量を設定し、燃焼手段による燃焼状態を設定する燃焼状態設定手段を備えている場合においては、燃焼状態の変化によって、排出される排ガス量も変化する。よって、この設定された燃料と燃焼用空気の供給量に基づいて、排出される排ガス量を算出することができ、排出量検出手段が、この算出された排ガス量を検出結果として出力することができ、誘引量設定手段がこの検出された排ガスの排出量に基づいて、誘引送風機に誘引される排ガスの量を設定することによって、熱交換手段の下流部において排ガスの排出量による圧力変動を抑制することができるので、燃焼状態を安定したものとすることが可能となる。
【００１１】
また、このような燃焼状態設定手段により、請求項４に記載されているように、前記受熱対象流体が前記熱交換部によって受熱する温度を検出する温度検出手段と、前記受熱対象流体の流量を検出する流量検出手段とを備え、
前記燃焼状態設定手段が、前記検出した温度及び流量に基づいて、前記燃料の供給量を算出し、前記算出した燃料の供給量に基づいて、前記燃焼用空気の供給量を算出し、前記燃料及び前記燃焼用空気の供給量を設定する手段であることが好ましい。
受熱対象流体が前記熱交換部によって受熱する温度は、例えば、設定された設定温度と、熱交換部に供給される前の給熱対象液の温度の差を求めることで検出することができ、この受熱する温度と、受熱対象流体の流量によって、供給する燃料の供給量を算出することができる。更に、全一次燃焼において、この供給する燃料の供給量に対応して、空気比が予め決まっており、供給する燃焼用空気の量が算出される。燃焼状態設定手段は、この算出された結果に基づいて、燃料と燃焼用空気の供給量を設定する、所謂フィードフォワード制御を行う。
このように構成することによって、排出量検出手段はこの設定された燃料と燃焼用空気の供給量に基づいて、燃焼後に排出される排ガス量を算出し、その算出した排ガス量を検出結果として出力することができる。よって、排出量検出手段によって検出された排ガスの排出量に基づいて、誘引量設定手段は、熱交換手段の下流部の圧力若しくは流量を調整し、全一次燃焼は安定したものとなり、更に、誘引送風機によって排ガスと希釈空気を誘引することで、排ガスを希釈空気によって希釈し、白煙を見えにくくする燃焼装置を実現できる。
【００１２】
また、上記の燃焼状態設定手段において、設定された燃焼状態の誤差を補正する為に、熱交換部から排出された受熱対象流体の温度を検出し、上記の設定された温度と比較して、燃料及び燃焼用空気の供給量を補正する、所謂フィードバック制御を組み合わせて行うこともできる。
【００１３】
又、このような燃焼装置は以下のようにも構成することができる。即ち、請求項５に記載されているように、前記排ガス流路の入口部に前記排ガス流路に流入する排ガスの流量を調整する排ガス量調整弁を備え、
前記誘引量設定手段は、前記検出された排ガスの排出量に基づいて、前記排ガス量調整弁を調整して、前記誘引送風機に誘引される排ガスの量を設定する手段である。
即ち、誘引量設定手段によって誘引送風機に誘引される排ガスの量を調整する方法としては、排ガス流路の入口部に排ガス流路に流入する排ガスの流量を調整する排ガス量調整弁を設け、この開度を調節することで、誘引送風機に誘引される排ガスの量を調整することができる。これを、排出量検出手段によって検出された排ガスの排出量に基づいて行うことで、誘引送風機の送風量を変化させ、熱交換手段の下流部の圧力若しくは流量を調整することができるので、この熱交換手段の下流部の圧力若しくは流量を一定にし、燃焼手段及び燃焼用送風機に影響を与える圧力変動を抑制し、低ＮＯｘ燃焼である全一次燃焼を安定したものとすることができる。
このような誘引量設定手段の構成によって、熱交換手段の下流側の圧力変動が抑制され、燃焼用送風機による混合気の供給状態が変動しないので、燃焼状態は安定した全一次燃焼となり、低ＮＯｘ燃焼を実現し、更に、熱交換後の排ガスを希釈空気によって希釈できる構成となっているので、排ガスの飽和状態は緩和され、白煙は見えにくくなる。
【００１４】
上記の燃焼装置において、請求項６に記載されているように、前記希釈空気の流路に、前記排ガス流路に流入する希釈空気の流量を設定する希釈空気量調整弁を備え、
前記誘引量設定手段は、前記検出された排ガスの排出量に基づいて、前記排ガス量調整弁および前記希釈空気量調整弁を調整して、前記誘引送風機に誘引される排ガス及び希釈空気の流量を設定する手段であることが好ましい。
このように、排ガス流路に導入される希釈空気の量を、例えば希釈空気の流路に希釈空気調整弁としてダンパー等を設けて調整することによって、排ガス流路に排出される排ガスの量に合わせて、希釈空気の量を設定することができ、更に、誘引送風機に誘引される排ガスの量を排ガス量調整弁を使用して設定する構成において、誘引送風機の送風能力の限度内にて、できるだけ多くの希釈空気を排ガス流路内に誘引させるように希釈空気調整弁を調整することによって、多くの希釈空気で排ガスが希釈され、水蒸気の白煙をより一層見えなくすることができる。
【００１５】
【発明の実施の形態】
〔実施の形態１〕
本発明に係る燃焼装置の構成を図１に基づいて説明する。
図１に示す燃焼装置１００において、燃料と燃焼用空気を混合して圧送する燃焼用送風機２は、燃料ノズル３と空気口４から燃料と燃焼用空気を導入して混合し、その混合気をケーシング１０内に備えたバーナ１に供給し、その混合気はバーナ１において全一次燃焼する。バーナ１の下流側に備えられた熱交換器５は、燃焼ガス中の水蒸気の凝縮潜熱までを回収して、水を加熱し、湯水として排出するようになっている。熱交換時に発生する凝縮水はドレン口６によって外部に排出され、熱交換器５の下流部１２に排出された排ガスは外部へ排出されるべく排ガス流路７に導かれる。
以上の構成は、燃焼ガスの凝縮潜熱をも回収する燃焼装置いわゆるコンデンシングボイラに関する基本構成である。このような燃焼装置において、下流部１２に排出された排ガスは、水蒸気飽和状態になっており、この排ガスをそのまま大気に放出すると、その水蒸気が凝縮し、白煙となる。この白煙は無害であるが、煙突等において白煙が立ち上ると、火災が発生しているように誤解されたり、有害物質を排出しているように誤解されることが有り、この白煙を見えなくするようにすることが望まれている。
【００１６】
そこで本発明に係る燃焼装置１００においては、その排ガスを希釈空気で希釈して外部に排出することができるように構成されており、その詳細について以下に説明する。
燃焼装置１００の排ガス流路７の出口部に排ガス流路内のガスを外部へ排出する誘引送風機８と、排ガス流路７に希釈空気を導入する希釈空気口９が設けられている。
この誘引送風機８の送風量を熱交換後の排ガス量よりも多く設定することによって、希釈空気口９より希釈空気が排ガス流路７に誘引され、排ガスを希釈空気によって希釈して、希釈された排ガスを誘引送風機８によって外部に排出することができる。このことによって、水蒸気飽和状態の排ガスを希釈空気で希釈し、その水蒸気飽和状態を緩和して、外部に排出されたときに発生する白煙を見えにくいものとすることができる。
【００１７】
このように誘引送風機８によって、排ガスと希釈空気を誘引する構成において、この誘引送風機８による誘引は、燃焼室の圧力変動を起こす可能性が有り、混合気の空気比を設定して行う全一次燃焼において、この圧力変動を抑制する必要がある。
そこで、本発明に係る燃焼装置１００においては、下流部１２の圧力変動を検出する圧力センサ１１を備え、その検出結果に基づいて、制御装置２０は誘引送風機８を制御可能となっている。
即ち、バーナ１による燃焼状態が変化すると、排出される排ガスの量も変化する。この排ガスの排出量に対応して、誘引送風機８によって誘引される排ガスの量を変化させないと、下流部１２の圧力が変動し、結果、バーナ部においても圧力変動が発生し、安定した全一次燃焼を実現できないことになる。そこで、下流部の圧力変動を圧力センサ１１によって検出し、この圧力変動によって、排ガス量の増減を検出することで、その検出結果に比例して、誘引送風機８の送風量を変化させることで、下流部１２における圧力を安定したものとすることができる。よって、燃焼室、即ちバーナ１付近の圧力は常に安定しており、全一次燃焼を安定したものとすることができる。
このように、圧力センサ１１の検出結果に基づいて、下流部１２に排出される排ガスの排出量を検出する手段を排出量検出手段Ａと呼び、この検出された排ガスの排出量に基づいて、誘引送風機８の送風量を設定し調整する手段を誘引量設定手段Ｂと呼ぶ。
【００１８】
よって、本発明に係る燃焼装置１００は、燃焼室の圧力を安定させ、安定した全一次燃焼を実現することで低ＮＯｘ化を実現し、更に、水蒸気飽和状態の排ガスを希釈し、その排ガスによる白煙を見えにくいものとすることができ、例えば、空気比λ＝１．３の全一次燃焼において、ＮＯｘ値＝３０ｐｐｍ程度に低減し、白煙をほとんど見えない状態にできた。
【００１９】
〔実施の形態２〕
次に、上記の実施の形態とは別の形態を図２に基づいて説明する。
図２に示す燃焼装置２００は、混合気供給方法、燃焼方法、熱交換方法において図１の構成と同じである為、説明を省略するが、バーナ１における燃焼状態を設定する為に、燃料の流路に流量調整弁１７と、燃焼用送風機２の送風量を制御装置２０によって制御する構成となっている。更に、熱交換器５に供給される水の流量を検出する流量検出手段としての流量計１５と、温度を検出する温度検出手段としての温度センサ１６を備えている。
制御装置２０には、熱交換器５から排出される湯水の温度を設定するべく設定温度信号が入力され、温度センサ１６によって検出された温度である水をその設定温度まで加熱する為の燃焼状態を設定する。即ち、燃焼状態設定手段が、水を加熱する温度によって、燃料の供給量を求め、流量調整弁１７を設定し、予め記憶している燃料の供給量に対する空気比に基づいて、燃焼用空気の供給量を求め、燃焼用送風機２の送風量を設定する様に構成されている。
【００２０】
更に、制御装置２０は、上記の設定された燃料と燃焼用空気の供給量に基づいて、燃焼後に排出される排ガス量を算出することができる。即ち、設定された燃料の供給量に対する理論空気量をＡ0、及び理論排ガス量をＧ0とし、実際に供給される混合気の空気比をλとしたときに、燃焼後の排ガス量Ｇは、
Ｇ＝Ａ0（λ−１）＋Ｇ0
となる。
よって、このように求められた排ガス量を温度補正して検出結果として出力し、このように排ガスの排出量を検出する手段を排出量検出手段Ａ'と呼ぶ。
【００２１】
更に、排ガス流路の入口付近に誘引送風機８に誘引される排ガスの量を設定するダンパ３４と、希釈空気口９付近に誘引送風機８に誘引される希釈空気の量を設定するダンパ３３とを設けており、これらのダンパ３３、３４は制御装置２０によって開度を制御される。誘引送風機８の送風量はあらかじめ設定されており、その設定量は、最大燃焼時、即ち排ガスが最も多く排出されるときに、ダンパ３３、３４を完全開状態にし、排ガス及び希釈空気がともに誘引送風機８によって排ガス流路に誘引されるように設定する。又、排出量検出手段Ａ'によって検出された排ガスの排出量に基づいて、制御装置２０はダンパ３４の開度を決定し、下流部１２に排出される排ガスの量が変化しても、この下流部において圧力変動が生じないようにダンパ３４を働かせる。即ち、排ガスの量が減少した場合においては、ダンパ３４を閉じる方向に設定し、排ガスの量が増加した場合において、ダンパ３４を開ける方向に設定する。このことによって、熱交換器５の下流部１２に排出される排ガスの量が変化しても、その排出量に合わせて、誘引送風機８に誘引される排ガスの量を、ダンパ３４を働かせて調整し、下流部１２において排ガスの排出量の変化による圧力変動が生じないように調整する。このように、排出量検出手段Ａ'によって検出された排ガスの排出量に基づいて、ダンパ３４を働かせ、下流部１２の圧力変動を抑制する手段を誘引量設定手段Ｂ'と呼ぶ。また、ダンパ３３は、誘引送風機８の送風能力の限度内にて、できるだけ多くの希釈空気を誘引するように開閉制御される。
【００２２】
よって、本発明に係る燃焼装置２００は、下流部１２の圧力変動を抑制して燃焼室の圧力を安定させ、安定した全一次燃焼を実現することで低ＮＯｘ化を実現し、更に、水蒸気飽和状態の排ガスを希釈し、その排ガスによる白煙を見えにくいものとすることができる。
【００２３】
また、上記の実施の形態２において、バーナ１に供給する混合気の空気比を検出する空気比センサを備えることもでき、検出された空気比と燃料の供給量によって排出される排ガスの量を算出することもできる。更に、前記空気比センサの代わりに、酸素センサ、若しくはメタンセンサを備えることができ、そのセンサの検出結果に基づいて、排出される排ガスの量を算出することもできる。
【００２４】
上記の実施の形態２において、熱交換器５から排出される湯水の温度を検出する温度センサを備え、この検出された温度と設定温度を比較して、燃焼状態を補正すべく燃料及び燃焼用空気量を補正制御するように構成することもできる。
【００２５】
【発明の効果】
本発明に係る燃焼ガス中の水蒸気の凝縮潜熱までを回収する熱交換機能を持つ燃焼装置は、安定した全一次燃焼を行って低ＮＯｘ化を実現し、且つ水蒸気飽和状態の排ガスを希釈して、外部にされたときの白煙を見えにくくすることができる。
【図面の簡単な説明】
【図１】  本発明に係る燃焼装置の実施の形態を示す断面図
【図２】  本発明に係る燃焼装置の実施の形態を示す断面図
【符号の説明】
１    バーナ
２    燃焼用送風機
３    燃料ノズル
４    空気口
５    熱交換器
６    ドレン口
７    排ガス流路
８    誘引送風機
９    希釈空気口
１０  ケーシング
１１  圧力センサ
１２  下流部
１５  流量計
１６  温度センサ
１７  流量調整弁
２０  制御装置
Ａ    排出量検出手段
Ｂ    誘引量設定手段
【図１】
0004067228.tif 000002
【図２】
0004067228.tif 000003